(57)【要約】【課題】電話帳に登録されていない電話番号からの着信の件数を容易に知ることが可能な電話機を提供する。【解決手段】親機１０は、連絡先の電話番号を電話帳に登録可能である。親機１０は、制御部１０１と出力部１０３とを備える。制御部１０１は、電話帳に登録されていない電話番号からの着信の件数を、予め定められた期間毎に集計する。制御部１０１は、集計された件数に基づくグラフを出力部１０３に出力させる。【選択図】図２
2017005502.tif 000002
【特許請求の範囲】
【請求項１】
連絡先の電話番号を電話帳に登録可能な電話機であって、
制御部と、
出力部とを備え、
前記制御部は、
前記電話帳に登録されていない電話番号からの着信の件数を、予め定められた期間毎に集計し、
前記集計された件数に基づく情報を前記出力部に出力させる、電話機。
【請求項２】
前記制御部は、日付情報が所定の条件を満たした場合に、前記集計された件数に基づく情報を前記出力部に出力させる、請求項１に記載の電話機。
【請求項３】
前記所定の条件は、前記予め定められた期間が経過したことである、請求項２に記載の電話機。
【請求項４】
前記予め定められた期間は、第１の期間と、前記第１の期間とは異なる第２の期間とを含み、
前記制御部は、前記第１の期間が経過した場合と前記第２の期間が経過した場合とで前記集計された件数に基づく情報の態様を異ならせる、請求項３に記載の電話機。
【請求項５】
ユーザからの操作を受け付ける操作受付部をさらに備え、
前記集計された件数に基づく情報を出力させるための操作を前記操作受付部が受け付けた場合、前記制御部は、前記操作を受け付けたタイミングに応じた前記集計された件数に基づく情報を前記出力部から出力させる、請求項１から４のいずれか１項に記載の電話機。
【請求項６】
前記電話帳に登録されていない電話番号からの着信は、迷惑電話の電話番号として前記電話機に予め登録されている電話番号からの着信を含む、請求項１から５のいずれか１項に記載の電話機。
【発明の詳細な説明】
【技術分野】
【０００１】
本発明は、電話機に関する。
【背景技術】
【０００２】
従来、ファクシミリ等の各種の電話機が知られている。これらの電話機は、典型的には電話帳機能を有しており、ユーザは、連絡先の電話番号を電話帳に登録することができる。
【０００３】
特許文献１には、このような電話機として、着信拒否をしたことをリストに記録するファクシミリが開示されている。具体的には、特許文献１のファクシミリは、着信後即回線断の着信拒否を行なった場合に、通信管理レポートの結果欄に「拒否」との記載を行なう。また、当該ファクシミリは、ユーザによって履歴ボタンが押下されることにより、履歴画面を表示する。
【先行技術文献】
【特許文献】
【０００４】
【特許文献１】特開２００２−３５９７３３号公報
【発明の概要】
【発明が解決しようとする課題】
【０００５】
しかしながら、特許文献１のファクシミリでは、迷惑電話の着信件数を確認するためには、ユーザは、まず、履歴ボタンを押下して、履歴画面をディスプレイに表示させなければならない。さらに、ユーザは、当該履歴画面において、迷惑電話の着信件数を数えなければならない。このように、特許文献１のファクシミリにおいては、ユーザは、迷惑電話の着信件数を容易に知ることはできない。
【０００６】
本願発明は、上記の問題点に鑑みなされたものであって、その目的は、電話帳に登録されていない電話番号からの着信の件数を容易に知ることが可能な電話機を提供することを目的とする。
【課題を解決するための手段】
【０００７】
本発明にある局面に従うと、電話機は、連絡先の電話番号を電話帳に登録可能であって、制御部と、出力部とを備える。制御部は、電話帳に登録されていない電話番号からの着信の件数を、予め定められた期間毎に集計する。制御部は、集計された件数に基づく情報を出力部に出力させる。
【発明の効果】
【０００８】
上記の発明によれば、電話機のユーザは、電話帳に登録されていない電話番号からの着信の件数を容易に知ることが可能となる。
【図面の簡単な説明】
【０００９】
【図１】ファクシミリの斜視図である。
【図２】親機の機能的構成を表した機能ブロック図である。
【図３】電話帳の概略構成を表した図である。
【図４】迷惑電話であることが予め判断されている電話番号をリスト化したデータテーブルの概略構成を表した図である。
【図５】電話帳に登録されていない電話番号からの着信の履歴を表したデータテーブルの概略図である。
【図６】各週における時間帯別の迷惑電話の着信の件数を表したデータテーブルの概略図である。
【図７】ある月における迷惑電話の着信の件数を表したデータテーブルの概略図である。
【図８】ある月における迷惑電話の着信の件数を表したデータテーブルの概略図である。
【図９】ある月における迷惑電話の着信の件数を電話番号（発信元）別に表したデータテーブルの概略図である。
【図１０】図６に示したデータテーブルに基づいて生成および出力されるグラフの一例である。
【図１１】図７に示したデータテーブルに基づいて生成および出力されるグラフの一例である。
【図１２】図８に示したデータテーブルに基づいて生成および出力されるグラフの一例である。
【図１３】図９に示したデータテーブルに基づいて生成および出力されるグラフの一例である。
【図１４】親機で行われる一部の処理の流れを表したフローチャートである。
【図１５】親機において定期的に行われる処理を説明するためのフローチャートである。
【図１６】図１５のステップＳ１００におけるグラフ化処理の具体的な処理の流れを表したフローチャートである。
【図１７】図１５のステップＳ２００における出力処理の具体的な処理の流れを表したフローチャートである。
【図１８】このような入力操作を受け付けるための画面の例を表した図である。
【図１９】ユーザの操作に基づきグラフの出力を行なう場合の処理の流れを表したフローチャートである。
【発明を実施するための形態】
【００１０】
以下、図面を参照しつつ、本発明の各実施の形態に係る電話機について説明する。また、以下の説明では、同一の部材には同一の参照符号を付してある。それらの名称および機能も同じである。したがって、それらについての詳細な説明は繰り返さない。
【００１１】
なお、以下では、電話機として、ファクシミリを例に挙げて説明する。ただし、電話機は、ファクシミリに限定されるものではなく、情報の出力機能（表示機能、印刷機能等）を有するものであればよい。また、ここで言う電話機は、通話可能なものであってかつ出力機能があるものであれば、スマートフォンのような携帯電話やタブレットやＰＣであっても構わない。
【００１２】
また、以下の実施の形態１〜４では、「日付情報が所定の条件を満たした場合」として、「予め定められた期間（典型的には、一週間、一ヶ月）が経過した」ことを例に挙げて説明する。ただし、これに限定されるものではなく、「日付情報が所定の条件を満たした場合」とは、日付情報で表される日が、所定の日にち（たとえば、月の初めの日、終わりの日）となった場合、所定の曜日となった場合等であってもよい。
【００１３】
〔実施の形態１〕
＜Ａ．装置構成＞
図１は、ファクシミリ１の斜視図である。図１を参照して、ファクシミリ１は、親機１０と、子機２０とを備える。親機１０は、表示部１３１を備えている。親機１０と子機２０とは無線により通信可能に接続されている。ここでは親機と子機とで構成される電話機を例に挙げて説明するが、たとえば、携帯型電話機、通話機能を有するタブレット、あるいはＰＣ（Personal Computer）であれば、親機と子機という構成でなくても構わない。
【００１４】
また、ファクシミリ１は、電話帳機能を有する。すなわち、ファクシミリ１のユーザは、連絡先の電話番号（たとえば、友人等の電話番号）をファクシミリ１（親機１０および子機２０）に登録することができる。以下では、親機１０に着目し、親機１０の機能を説明する。
【００１５】
図２は、親機１０の機能的構成を表した機能ブロック図である。図２を参照して、親機１０は、制御部１０１と、記憶部１０２と、出力部１０３と、網制御部１０４と、ＤＳＰ（digital signal processor）部１０５と、操作受付部１０６と、無線通信処理部１０７と、アンテナ１０８とを備える。出力部１０３は、表示部１３１と、印刷部１３２とを含む。
【００１６】
制御部１０１は、親機１０の全体の動作を制御する。制御部１０１は、プロセッサがオペレーティングシステムおよび各種のプログラムを実行することにより実現される。
【００１７】
記憶部１０２は、オペレーティングシステム、各種のプログラム、および各種のデータを記憶している。記憶部１０２は、上記データとして、後述する電話帳３００（図３）および複数のデータテーブル４００，５００，６００，７００，８００，９００（図４〜図９）を記憶している。記憶部１０２は、典型的には、ＲＯＭ（Read Only Memory）、ＲＡＭ（Random Access Memory）、フラッシュメモリ等で構成される。
【００１８】
出力部１０３は、通信履歴および後述する各種の情報（グラフ等）を出力する。表示部１３１は、制御部１０１からの指令に基づき、これらの情報を表示する。印刷部１３２は、制御部１０１からの指令に基づき、これらの情報を印刷（印字）する。また、印刷部１３２は、相手先から電話回線を用いて送信されてきた情報を、ファクシミリ１に収容された用紙（媒体）に印刷（印字）する。
【００１９】
なお、表示部１３１は、典型的には、液晶ディスプレイである。印刷部１３２は、典型的には、インクジェットプリンタまたは感熱式プリンタである。
【００２０】
網制御部１０４は、電話回線を介した通信を制御する。ＤＳＰ部１０５は、モデム部と、音声処理部と、音声録音部と、音声再生部とを含む。
【００２１】
操作受付部１０６は、ユーザからの操作を受け付ける。操作受付部１０６は、操作キーに対応する。なお、操作キーは、ハードウェアキーであってもよいし、ソフトウェアキーであってもよい。
【００２２】
無線通信処理部１０７およびアンテナ１０８は、子機２０との間の無線通信の際に利用される。すなわち、親機１０は、無線通信処理部１０７による信号処理によって、子機２０との間で、アンテナ１０８を介した通信を行なう。
【００２３】
親機１０の処理の詳細（特に、制御部１０１の処理の詳細）については、後述する。
＜Ｂ．処理の概要＞
次に、親機１０の処理の概要を説明する。上述したように、親機１０は、連絡先の電話番号を電話帳に登録可能である。また、図２に示したように、親機１０は、制御部１０１と、出力部１０３とを備えている。
【００２４】
制御部１０１は、電話帳に登録されていない電話番号からの着信の件数を、予め定められた期間毎に集計する。制御部１０１は、当該期間が経過したことに基づき、当該集計された件数に基づく件数情報（典型的には、グラフ）を出力部１０３に出力させる。
【００２５】
詳しくは、制御部１０１は、電話帳に登録されていない電話番号からの着信の件数を、１週間毎および１ヶ月毎に集計する。制御部１０１は、当該集計された件数に基づく件数情報を、印刷部１３２に印字、および／または、表示部１３１に表示させる。
【００２６】
上記の構成によれば、親機１０は、ユーザの操作を受け付けることなく、自動で、件数情報を出力部１０３から出力させる。それゆえ、ファクシミリ１のユーザは、電話帳に登録されていない電話番号からの着信の件数を容易に知ることが可能となる。
【００２７】
以下、このような機能を有する親機１０の詳細な構成について説明する。また、以下では、件数情報が「グラフ」である場合を例に挙げて説明する。
【００２８】
＜Ｃ．データ＞
次に、親機１０に記憶される各種のデータについて説明する。つまり、記憶部１０２に記憶される各種のデータについて説明する。
【００２９】
（ｃ１．電話番号に関するデータテーブル）
図３は、電話帳３００の概略構成を表した図である。図３を参照して、電話帳３００には、氏名（連絡先）と、連絡先の電話番号と、グループ（属性）とが登録可能である。これらの情報は、識別番号に関連付けて記憶される。なお、上述したように、電話帳３００における更新処理（登録処理等）は、典型的には、操作受付部１０６を用いたユーザ操作により行われる。なお、これに限られず、ユーザは、パーソナルコンピュータを用いて、電話帳３００の更新処理を行なうことも可能である。
【００３０】
図４は、迷惑電話であることが予め判断されている電話番号をリスト化したデータテーブル４００の概略構成を表した図である。親機１０は、典型的には、電話回線を介して、外部のサーバ装置からデータテーブル４００を取得する。すなわち、データテーブル４００は、ファクシミリ１のユーザ以外の第三者が作成したものである。
【００３１】
図４を参照して、データテーブル４００は、識別番号に対応付けて、事前に迷惑電話であるとの判断がなされた電話番号（迷惑電話番号）と、当該迷惑電話番号が登録された日にちが記憶されている。
【００３２】
以下では、着信を、「安全な着信」と「迷惑電話の着信」との２つに区分して説明する。「安全な着信」とは、電話帳３００に登録されている電話番号からの着信である。「迷惑電話の着信」とは、電話帳３００に登録されていない電話番号からの着信である。
【００３３】
ここで言う電話帳とは、ユーザが自ら安全と認めて登録した電話番号のリストのことであり、迷惑電話として登録された迷惑電話用の電話帳（つまり、データテーブル４００）とは異なるものである。一般的に自分の親戚や友人や仕事関係の連絡先は、ユーザが自ら電話帳に電話番号と名前と共に電話帳として登録することが多い。それゆえ、親機１０は、電話帳３００に登録されている電話番号からの着信を「安全な着信」と判断する。また、初めて着信があった電話に対しも、たとえば実際に相手と話してみて安全だと確認されれば、ユーザは、通話終了後に、当該電話の電話番号および相手の名前を安全な番号として電話帳３００に登録しても構わない。
【００３４】
電話帳３００に登録されていない電話番号からの着信は、「データテーブル４００に登録されている電話番号からの着信」を含む。また、「非通知による着信」は、通常、電話帳３００に登録されていない電話番号からの着信と考えられるため、本実施の形態では、電話帳３００に登録されていない電話番号からの着信は「非通知による着信」を含むものとして説明する。
【００３５】
なお、上記に限定されず、電話帳３００に登録されていない電話番号からの着信が「非通知による着信」を含まないものとして、それぞれの着信の件数を個別にデータ処理（集計等）するように、親機１０を構成してよい。
【００３６】
（ｃ２．生成されるデータ）
次に、親機１０において自動で生成される各種のデータについて説明する。
【００３７】
図５は、電話帳３００に登録されていない電話番号からの着信（すなわち、「迷惑電話の着信」）の履歴を表したデータテーブル５００の概略図である。図５を参照して、データテーブル５００には、年、月日と、時刻と、着信があった電話番号と、電話番号がデータテーブル４００に登録されているか否か（登録の有無）と、着信の累計とが記憶される。なお、親機１０は、電話帳３００に登録されていない電話番号からの着信をデータテーブル５００に含めて、全ての着信履歴を管理してもよい。
【００３８】
また、親機１０は、データテーブル５００を基にして、適宜、後述するデータテーブル６００，７００，８００，９００を更新する。これらのデータテーブルの更新のタイミングについては、後述する。
【００３９】
図６は、各週における時間帯別の迷惑電話の着信の件数を表したデータテーブル６００の概略図である。図６を参照して、親機１０は、迷惑電話の着信件数を、週毎に６つの時間帯に分けて管理する。すなわち、親機１０は、週毎の迷惑電話の着信件数を、６つの時間帯毎に集計する。
【００４０】
図７は、ある月（一例として、５月）における迷惑電話の着信の件数を表したデータテーブル７００の概略図である。図７を参照して、親機１０は、迷惑電話の着信件数を、１日毎に分けて管理する。親機１０は、迷惑電話の着信件数を、１日毎に集計する。
【００４１】
図８は、ある月（一例として、５月）における迷惑電話の着信の件数を表したデータテーブル８００の概略図である。図８を参照して、親機１０は、迷惑電話の着信件数を、所定の期間毎（一例として、５日毎、月末のみ５日または６日）に分けて管理する。親機１０は、迷惑電話の着信件数を、所定の期間毎に集計する。
【００４２】
図９は、ある月（一例として、５月）における迷惑電話の着信の件数を電話番号（発信元）別に表したデータテーブル９００の概略図である。図９を参照して、親機１０は、複数の発信元からの迷惑電話の着信があった場合、このようなデータテーブル９００を生成する。
【００４３】
＜Ｄ．出力されるグラフ＞
次に、上述したデータテーブル６００，７００，８００，９００に基づき生成および出力されるグラフについて説明する。
【００４４】
図１０は、図６に示したデータテーブル６００に基づいて生成および出力されるグラフの一例である。図１０を参照して、親機１０が当該グラフを出力（印字および／または表示）することにより、ユーザは、１週間単位で、迷惑電話の件数を時間帯別に視認することが可能となる。これにより、ユーザは、迷惑電話の着信が多い時間帯と少ない時間帯とを把握することが可能となる。
【００４５】
図１１は、図７に示したデータテーブル７００に基づいて生成および出力されるグラフの一例である。図１１を参照して、親機１０が当該グラフを出力（印字および／または表示）することにより、ユーザは、１ヶ月単位で、迷惑電話の件数を日別に視認することが可能となる。これにより、ユーザは、迷惑電話の着信が多い日にちと少ない日にちとを把握することが可能となる。
【００４６】
図１２は、図８に示したデータテーブル８００に基づいて生成および出力されるグラフの一例である。図１２を参照して、親機１０が当該グラフを出力（印字および／または表示）することにより、ユーザは、１ヶ月単位で、迷惑電話の件数を所定の期間毎（５日毎）に視認することが可能となる。これにより、ユーザは、迷惑電話の着信が多い期間と少ない期間とを把握することが可能となる。
【００４７】
図１３は、図９に示したデータテーブル９００に基づいて生成および出力されるグラフの一例である。図１３を参照して、親機１０が当該グラフを出力（印字および／または表示）することにより、ユーザは、１ヶ月単位で、発信元別の迷惑電話の着信の比率（割合）を視認することが可能となる。これにより、ユーザは、迷惑電話の着信が多い発信元（電話番号）と少ない発信元とを把握することが可能となる。ただし、１か月単位に限定されず、たとえば、一定の期間（たとえば、2015/5/1〜2015/7/31）であっても構わない。
【００４８】
＜Ｅ．制御構造＞
次に、親機１０で行われる処理の手順を、複数のフローチャートを用いて説明する。
【００４９】
（ｅ１．着信時の処理）
図１４は、親機１０において着信時に行われる処理の流れを表したフローチャートである。図１４を参照して、ステップＳ２において、親機１０（詳しくは、プロセッサ）は、着信があった場合、当該着信が非通知であるか否かを判断する。非通知でないと判断された場合（ステップＳ２においてＮＯ）、ステップＳ４において、親機１０は、着信があった電話番号が、データテーブル４００に登録されている電話番号か否かを判断する。非通知であると判断された場合（ステップＳ２においてＹＥＳ）、ステップＳ１４において、親機１０は、自動応答メッセージを流した後に、回線を自動切断する。
【００５０】
データテーブル４００に登録されていないと判断された場合（ステップＳ４においてＮＯ）、ステップＳ６において、親機１０は、着信があった電話番号が、電話帳３００に登録されている電話番号か否かを判断する。データテーブル４００に登録されていると判断された場合（ステップＳ４においてＹＥＳ）、親機１０は、処理をステップＳ１４に進める。
【００５１】
電話帳３００に登録されていると判断された場合（ステップＳ６においてＹＥＳ）、ステップＳ８において、親機１０は、安全な着信であることを表示部１３１に表示する。電話帳３００に登録されていないと判断された場合（ステップＳ６においてＮＯ）、親機１０は、処理をステップＳ１４に進める。
【００５２】
ステップＳ１０において、親機１０の受話器が持ち上げられたことに基づき、あるいは子機２０の通話ボタンが押されたことに基づき、ファクシミリ１は、通話状態に移行する。ステップＳ１２において、親機１０の受話器がファクシミリ１の筐体の載置面に置かれたことに基づき、あるいは子機２０の通話終了ボタンが押されたことに基づき、ファクシミリ１は通話を終了する。
【００５３】
ステップＳ１４の後、ステップＳ１６において、親機１０は、データテーブル５００（図５参照）の更新処理を行なう。なお、親機１０は、更新処理により、データテーブル５００に割り当てられたメモリの容量をオーバしてしまう場合には、古いデータから順に削除を行なう。
【００５４】
（ｅ２．定期的に行われる処理）
図１５は、親機１０において定期的に行われる処理を説明するためのフローチャートである。図１５を参照して、ステップＳ１００において、親機１０は、データ（詳しくは、データテーブル６００，７００等）のグラフ化処理を実行する。ステップＳ２００において、親機１０は、グラフの出力処理を行なう。
【００５５】
図１６は、図１５のステップＳ１００におけるグラフ化処理の具体的な処理の流れを表したフローチャートである。ステップＳ１０２において、親機１０（詳しくは、プロセッサ）は、現在の曜日および時刻が、日曜日の所定の時刻（たとえば、午前１０時）であるか否かを判断する。なお、親機１０は、カレンダー機能および時計機能を有しており、日時が既に設定されているものとする。
【００５６】
日曜日の所定の時刻であると判断された場合（ステップＳ１０２においてＹＥＳ）、ステップＳ１０４において、親機１０は、データテーブル５００（図５参照）を用いて、データテーブル６００（図６参照）を更新する。ステップＳ１０６において、親機１０は、直近の１週間（先週の日曜日から前日の土曜日）における迷惑電話の着信件数のグラフ化した状態で出力するための出力用データを生成する。その後、親機１０は、処理をステップＳ１０８に進める。
【００５７】
ここでは、日曜日を週の始まりと想定して説明したが、週の始まりは月曜日であっても構わない。
【００５８】
また、週の始まりのタイミングによって自動的に印字や表示することにより、ユーザは一定期間ごとの適切なタイミングで直前の期間の集計結果を見ることができる。これにより、ユーザは、当該機能に対する効果をより分かり易く理解することができる。
【００５９】
また、ステップＳ１０６の処理で常に前の週の集計結果を出力するように構成しているが、迷惑電話の件数が０件であった場合あるいは所定件数（たとえば５件）より少なかった場合には、印字や表示をしないようにしても構わないし、グラフではなく件数のみを表示するようにしても構わない。
【００６０】
また、日曜日の所定の時刻でないと判断された場合（ステップＳ１０２においてＮＯ）、親機１０は、処理をステップＳ１０８に進める。ステップＳ１０８において、親機１０は、現在の日時が、月の初日の所定の時刻であるか否かを判断する。
【００６１】
月の初日というタイミングによって、自動的に印字や表示することにより、ユーザは、一定期間ごとの適切なタイミングで前月の集計を見ることができる。これにより、ユーザは、当該機能に対する効果をより分かり易く理解することができる。
【００６２】
また、前述したように、前月の迷惑電話の件数が０件であった場合あるいは所定件数（たとえば５件）より少なかった場合には、印字や表示をしないようにしても構わないし、グラフではなく件数のみを表示するようにしても構わない。
【００６３】
電話帳に登録されていない電話番号からの着信が１０件以上あったと判断された場合（ステップＳ１１０においてＹＥＳ）、ステップＳ１１２において、親機１０は、データテーブル（図５参照）を用いて、データテーブル７００（図７参照）を更新する。ステップＳ１１４において、親機１０は、前の月の各日の迷惑電話の着信件数をグラフ化した状態で出力するための出力用データを生成する。
【００６４】
電話帳に登録されていない電話番号からの着信が１０件未満であったと判断された場合（ステップＳ１１０においてＮＯ）、ステップＳ１２２において、親機１０は、データテーブル５００（図５参照）を用いて、データテーブル８００（図８）を更新する。ステップＳ１２４において、親機１０は、前の月の５日毎の迷惑電話の着信件数をグラフ化した状態で出力するための出力用データを生成する。
【００６５】
ステップＳ１１６において、親機１０は、前の月において、電話帳３００に登録されていない２つ以上の電話番号からの着信があったか否かを判断する。２つ以上の電話番号からの着信（迷惑電話の着信）があったと判断された場合（ステップＳ１１６においてＹＥＳ）、ステップＳ１１８において、親機１０は、データテーブル５００（図５参照）を用いて、データテーブル９００（図９参照）を更新する。ステップＳ１２０において、親機１０は、各電話番号からの迷惑電話の着信件数の比率をグラフ化した状態で出力するための出力用データを生成する。
【００６６】
図１７は、図１５のステップＳ２００における出力処理の具体的な処理の流れを表したフローチャートである。ステップＳ２０２において、親機１０（詳しくは、プロセッサ）は、用紙収容部（図示せず）に用紙がセットされているか否かを判断する。用紙がないと判断された場合（ステップＳ２０２においてＹＥＳ），ステップＳ２１０において、ステップＳ１００において生成された出力用データに基づくグラフを表示部１３１に表示させる。
【００６７】
用紙があると判断された場合（ステップＳ２０２においてＹＥＳ）、ステップＳ２０４において、親機１０は、印刷を行なうためのインクがあるか否かを判断する。すなわち、親機１０は、インク切れの状態になっていなかいか否かを判断する。インクがないと判断された場合（ステップＳ２０４においてＮＯ）、親機１０は、処理をステップＳ２１０に進める。
【００６８】
インクが有ると判断された場合（ステップＳ２０４においてＹＥＳ）、ステップＳ２０６において、親機１０は、ステップＳ１００において生成された出力用データに基づくグラフを印刷部１３２に印刷させる処理を開始する。ステップＳ２０８において、親機１０は、印刷が正常に終了したか否かを判断する。
【００６９】
正常に終了していないと判断された場合（ステップＳ２０８においてＮＯ）、親機１０は、処理をステップＳ２１０に進める。正常に終了した場合（ステップＳ２０８においてＹＥＳ）、親機１０は、一連の処理を終了する。
【００７０】
なお、ユーザからの入力操作があった場合にのみ、ステップＳ２１０の処理を実行するように、親機１０を構成してもよい。図１８は、このような入力操作を受け付けるための画面の例を表した図である。
【００７１】
図１８を参照して、親機１０は、図１７におけるステップＳ２０２でＮＯの場合、ステップＳ２０４でＮＯの場合、およびステップＳ２０８でＮＯの場合に、生成された出力用データを表示部１３１に表示させるための入力操作（ユーザ操作）を受け付けるための画面を表示する。この場合、親機１０は、アイコン１３０１の選択操作を受け付けると、図１７に示したステップＳ２１０の処理を実行する。
【００７２】
＜Ｆ．小括＞
（１）親機１０は、連絡先の電話番号を電話帳に登録可能である。親機１０は、制御部１０１と、出力部１０３とを備える。制御部１０１は、電話帳３００に登録されていない電話番号からの着信の件数を、予め定められた期間毎に集計する。制御部１０１は、集計された件数に基づく情報（件数情報）を出力部１０３に出力させる。詳しくは、制御部１０１は、当該予め定められた期間が経過したことに基づき、集計された件数に基づく件数情報（本実施の形態ではグラフ）を出力部１０３に出力させる。
【００７３】
（２）上記予め定められた期間は、第１の期間（本実施の形態では１週間）と、第１の期間とは異なる第２の期間（本実施の形態では１ヶ月）とを含む。制御部１０１は、第１の期間が経過した場合と第２の期間が経過した場合とで件数情報の態様を異ならせる。たとえば、制御部１０１は、第１の期間が経過した場合には、図１０に示す時間帯別のグラフを出力し、第２の期間が経過した場合には、図１１に示す日にち別のグラフを出力する。
【００７４】
（３）電話帳３００に登録されていない電話番号からの着信は、迷惑電話の電話番号として親機１０に予め登録されている電話番号（データテーブル４００に記載の電話番号）からの着信を含んでいる。
【００７５】
（４）親機１０は、迷惑電話の電話番号（具体的には、データテーブル４００）をサーバ装置から取得する。
【００７６】
〔実施の形態２〕
＜Ｇ．ユーザ操作に基づく処理＞
上記においては、グラフの出力処理が、日曜日の所定の時刻、あるいは月の初日の所定の時刻に自動で開始される構成を説明した。しかしながら、ユーザの操作に基づき、グラフの出力を行なうように、親機１０を構成してもよい。
【００７７】
図１９は、ユーザの操作に基づきグラフの出力を行なう場合の処理の流れを表したフローチャートである。図１９を参照して、ステップＳ３０２において、親機１０は、生成された出力用データに基づいたグラフを出力させるための操作をユーザから受け付けたか否かを判断する。
【００７８】
受け付けていないと判断された場合（ステップＳ３０２においてＮＯ）、親機１０は、処理をステップＳ３０２に戻す。受け付けたと判断された場合（ステップＳ３０２においてＹＥＳ）、ステップＳ３０４において、親機１０は、ユーザ操作を受け付けたタイミング（日にち）に応じた出力用データを、印刷部１３２に印刷させる。
【００７９】
典型的には、親機１０は、ユーザ操作を受け付けた日の前の週における時間帯別のグラフ（図１０参照）を印刷する。また、親機１０は、ユーザ操作を受け付けた月の前の月の各日のグラフ（図１１参照）を印刷してもよい。あるいは、ユーザ操作を受け付けた日が、月の始まりの所定の期間（たとえば、１日〜７日）であることを条件に、前の月の各日のグラフ（図１１参照）を印刷するように、親機１０を構成してもよい。
【００８０】
また、親機１０は、ユーザ操作を受け付けたタイミング（日にち）までの迷惑電話の着信件数に基づき中途経過（中間結果）を表すため出力用データを新たに生成し、当該生成された出力用データに基づきグラフを出力してもよい。たとえば、親機１０は、ユーザ操作を金曜日に受け付けた場合、日曜日から前日の木曜日までの時間帯別の迷惑電話の着信件数をグラフ化した状態で出力するための出力用データを生成し、当該生成された出力用データに基づくグラフを印刷部１３２等から出力するようにしてもよい。
【００８１】
以上のように、親機１０は、ユーザからの操作を受け付ける操作受付部１０６をさらに備える。上記件数情報を出力させるための操作を操作受付部１０６が受け付けた場合、制御部１０１は、当該操作を受け付けたタイミングに応じた件数情報を出力部１０３から出力させる。
【００８２】
〔実施の形態３〕
＜Ｈ．変形例または他の機能＞
（１）電話番号の明確化
親機１０は、着信のあった電話番号を報知する。たとえば、親機１０は、安全な着信の場合には、親機１０のＬＥＤ（図示せず）を緑色で点灯させる。
【００８３】
データテーブル４００（図４）に登録されている電話番号からの着信の場合には、親機１０は、ＬＥＤを赤色で点灯させる。あるいは、親機１０は、音声にて迷惑電話番号として登録されている電話番号からの着信であることをアナウンスする。
【００８４】
非通知の着信である場合には、親機１０は、ＬＥＤを赤色で点灯させる。あるいは、親機１０は、音声にて非通知であることをアナウンスする。
【００８５】
（２）表示方法
データテーブル４００（図４）に登録されている電話番号からの着信の場合には、親機１０は、一例として、「警戒電話合致番号」との表示を表示部１３１に行なう。また、非通知の着信の場合には、親機１０は、一例として、「不審電話番号」との表示を表示部１３１に行なう。
【００８６】
（３）親機１０は、データテーブル４００を、定期的に更新する。当該更新は、所定の日数が経過する度に、親機１０が外部のサーバ装置にアクセスすることにより行われる。あるいは、親機１０が外部のサーバ装置から更新通知を受け取ることにより、当該更新が行われる。
【００８７】
（４）給料日前後、あるいはボーナス支給月で、迷惑電話の着信件数が高くなっている場合には、自動応答の際に（図１４のステップＳ１４）、メッセージを録音しますとの発話を親機１０に行わせるようにしてもよい。
【００８８】
（５）図１３に示すようなグラフにおいて、予め定められた比率（たとえば、３０％）以上を占める電話番号がある場合、予め登録している電話番号（たとえば、ユーザの家族の電話番号）に出力用データを送信するように、親機１０を構成してもよい。この場合には、出力用データを受信した電話機において当該出力用データに基づくグラフを表示させることにより、出力用データの送信元の家庭に特定の発信元から迷惑電話がかかってきていることを、ファクシミリ１のユーザの家族等が知ることができる。
【００８９】
（６）図８および図１２においては、迷惑電話の件数を５日毎（所定の期間）に視認可能な構成を例に挙げて説明した。しかしながら、これに限定されるものではない。当該所定の期間をユーザ操作によって変更可能なように、親機１０を構成することが好ましい。
【００９０】
（７）上記においては、件数情報がグラフである場合を例に挙げて説明したが、これに限定されるものではない。件数情報は、たとえば表であってもよい。
【００９１】
（８）制御部１０１を以下のように構成してもよい。すなわち、制御部１０１は、迷惑電話の電話番号として親機１０に予め登録されている電話番号（データテーブル４００に記載の電話番号）からの着信の件数を、予め定められた期間毎に集計する。制御部１０１は、当該予め定められた期間が経過したことに基づき、当該集計された件数に基づく件数情報（本実施の形態ではグラフ）を出力部１０３に出力させてもよい。
【００９２】
（９）制御部１０１を以下のように構成してもよい。すなわち、制御部１０１は、電話帳３００に登録されていない電話番号からの着信であって、かつ非通知ではない着信の件数を、予め定められた期間毎に集計する。制御部１０１は、当該予め定められた期間が経過したことに基づき、集計された件数に基づく件数情報（本実施の形態ではグラフ）を出力部１０３に出力させてもよい。
【００９３】
（１０）制御部１０１を以下のように構成してもよい。すなわち、制御部１０１は、電話帳３００に登録されていない電話番号からの着信に関し、（i）非通知による着信の件数と、（ii）迷惑電話の電話番号として親機１０に予め登録されている電話番号（データテーブル４００に記載の電話番号）からの着信の件数と、（iii）これら以外の着信の件数とを、区別可能な態様で出力部１０３から出力させてもよい。
【００９４】
〔実施の形態４〕
親機１０は、ある迷惑電話がどの地域に多く発信されているかということを表しても構わない。このような構成について具体的に説明すれば、以下のとおりである。
【００９５】
親機１０を含む各電話機の電話番号は、固定電話機の場合、先頭の複数番号からなる市外局番号（０６、０７５、０３など）と市内局番号とにより、おおよその地域がわかる構成となっている。そこで、親機１０を含む各電話機において迷惑電話として登録された番号と、各電話機の電話番号とを外部のサーバ装置が受信して集計する。このような構成により、サーバ装置は、ある迷惑電話番号に対してどの地域に何回かけられたかの集計が可能となる。さらに、サーバ装置が当該集計結果を各電話機に送信することにより、親機１０を含む各電話機は、迷惑電話番号と当該迷惑番号がかけられた地域との印字や表示が可能となる。また、携帯型電話機の場合には、各携帯型電話機が自機に記憶している、当該携帯型電話機の所有者の住所、または、ＧＰＳ（Global Positioning System）による位置情報に基づき、各携帯型電話機が、当該住所や位置情報の少なくとも一部の位置に関する情報と、掛かってきた迷惑電話番号とをサーバ装置に送信することにより、サーバ装置は、迷惑電話がどの地域に何回掛けられたかを集計することも可能である。
【００９６】
印字や表示方法としては、親機１０を含む各電話機は、自機にかかってきた迷惑電話番号と地図とを表して、その迷惑電話番号がかけられた地域の多い順に色分けして地図上に示せばよい。地図については、自分の周りの市や庁に限定して示しても構わないし、全国地図で示しても構わない。自機に登録されている安全電話番号の地域に対して、迷惑電話がどれくらいかけられているかが分かるように、各電話機は、安全電話番号の地域だけの地図に、迷惑電話がかけられたエリアが分かるように地図上に表示しても構わない。当該構成によれば、ユーザは自分の知り合いも同じような迷惑電話がかけられたかどうかが分かるため、ユーザは知り合いに連絡を取って相談することが行ない易くなる。また、地図は必ずしも地図画像でなくてもよい。たとえば、地域名称とともに、迷惑電話番号と掛けられた回数とが、印字および／または表示される構成であっても構わない。
【００９７】
印字や表示は、たとえば、親機１０を含む各電話機から、「地域情報に関するデータ出力」の要望があったことをトリガとして行われる。具体的には、電話機からサーバ装置に、自機の電話番号と、自機に登録されている安全電話番号リストと、掛かってきた迷惑電話とをサーバ装置に送信する。サーバ装置は、たとえば、他の電話機の番号と迷惑電話とを含めて件数を集計して、当該集計結果を要望があった電話機に送信するとともに、集計結果を印字する指示を送信先の電話機に送る。あるいは、サーバ装置は、サーバ装置によってグラフ化されたデータ（つまり、グラフ）を電話機に送信するとともに、当該グラフ化されたデータを印字するように電話機に指示を与える構成であっても構わない。
【００９８】
〔実施の形態５〕
上記実施の形態１〜４では、日付情報が所定の条件を満たしたことを条件に、集計された件数に基づく件数情報（グラフ）を出力部１０３に出力させる構成を説明した。本実施の形態では、日付情報の代わりに、件数情報を用いる構成を説明する。
【００９９】
本実施の形態にかかるファクシミリ１の親機１０は、件数情報が所定の条件を満たした場合に、集計された件数に基づく件数情報（グラフ）を出力部１０３に出力させる。具体的には、親機１０は、集計された件数が予め定められた閾値を超えた場合に、グラフを出力する。
【０１００】
詳しくは、親機１０は、電話帳３００に登録されていない電話番号からの着信（つまり、迷惑電話の着信）の件数が記憶部１０２に記憶された閾値（たとえば、３０件）を超える度に、時間帯別のグラフ（図１０参照）、日別のグラフ（図１１参照）、期間別のグラフ（図１２参照）、および発信元別の迷惑電話の着信の比率のグラフ（図１３参照）のうちの少なくとも１つを出力部１０３から出力する。いずれのグラフを出力するかは、予め定められていてもよいし、あるいは、ユーザの選択により決定してもよい。
【０１０１】
上記の処理について具体例を挙げて説明すれば、以下のとおりである。たとえば、グラフを前回出力してから４月の末までの迷惑電話の着信の件数が１４件であったとする。この場合、５月の中旬において当月における迷惑電話の着信件数が１７件となると、グラフを前回出力してからの迷惑電話の着信件数が閾値である３０件を超えたことになるため、親機１０は、典型的には３０件を超えた時点で上述したグラフを出力する。
【０１０２】
なお、グラフの出力タイミングは、閾値を超えた直後であってもよいし、閾値を超えた日の所定の時刻（たとえば、午後８時）であってもよい。あるいは、閾値を超えた時刻が所定の時刻を経過している場合には、翌日の所定の時刻であってもよい。
【０１０３】
このような構成によれば、ファクシミリ１のユーザは、所定の件数の迷惑電話の着信がある度に、時間帯別、日別、期間別、発信元別といった、当該迷惑電話の着信についての詳細を知ることが可能となる。なお、本実施の形態においても、実施の形態４で説明した各種の処理を適用可能である。
【０１０４】
なお、上記の各実施の形態における親機１０における処理は、各ハードウェアおよびプロセッサ（制御部１０１）により実行されるソフトウェアによって実現される。このようなソフトウェアは、フラッシュメモリ（記憶部１０２）に予め記憶されている場合がある。また、ソフトウェアは、その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、読取装置によりその記憶媒体から読み取られて、あるいは、通信ＩＦ（網制御部１０４）等を介してダウンロードされた後、フラッシュメモリに一旦格納される。そのソフトウェアは、プロセッサによってフラッシュメモリから読み出され、ＲＡＭ（記憶部１０２）に実行可能なプログラムの形式で格納される。プロセッサは、そのプログラムを実行する。
【０１０５】
図２に示される親機１０を構成する各構成要素は、一般的なものである。したがって、本発明の本質的な部分は、記憶部１０２を構成するＲＡＭおよびフラッシュメモリ、記憶媒体に格納されたソフトウェア、あるいはネットワークを介してダウンロード可能なソフトウェアであるともいえる。なお、親機１０の各ハードウェアの動作は周知であるので、詳細な説明は繰り返さない。
【０１０６】
＜付記＞
（１）連絡先の電話番号を電話帳に登録可能な電話機における情報処理方法であって、前記電話機の制御部（プロセッサ）が、前記電話帳に登録されていない電話番号からの着信の件数を、予め定められた期間毎に集計するステップと、前記制御部が、前記集計された件数に基づく情報を出力部（プリンタ，ディスプレイ）に出力させるステップとを備える、情報処理方法。
【０１０７】
（２）連絡先の電話番号を電話帳に登録可能な電話機を制御するためのプログラムであって、前記電話帳に登録されていない電話番号からの着信の件数を、予め定められた期間毎に集計するステップと、前記集計された件数に基づく情報を出力部（プリンタ，ディスプレイ）に出力させるステップとを、前記電話機のプロセッサに実行させる、プログラム。
【０１０８】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【０１０９】
１  ファクシミリ、１０  親機、２０  子機、１０１  制御部、１０２  記憶部、１０３  出力部、１０４  網制御部、１０５  ＤＳＰ部、１０６  操作受付部、１０７  無線通信処理部、１０８  アンテナ、１３１  表示部、１３２  印刷部、３００  電話帳、４００，５００，６００，７００，８００，９００  データテーブル。
【図１】
2017005502.tif 000003
【図２】
2017005502.tif 000004
【図３】
2017005502.tif 000005
【図４】
2017005502.tif 000006
【図５】
2017005502.tif 000007
【図６】
2017005502.tif 000008
【図７】
2017005502.tif 000009
【図８】
2017005502.tif 000010
【図９】
2017005502.tif 000011
【図１０】
2017005502.tif 000012
【図１１】
2017005502.tif 000013
【図１２】
2017005502.tif 000014
【図１３】
2017005502.tif 000015
【図１４】
2017005502.tif 000016
【図１５】
2017005502.tif 000017
【図１６】
2017005502.tif 000018
【図１７】
2017005502.tif 000019
【図１８】
2017005502.tif 000020
【図１９】
2017005502.tif 000021